(57)【要約】【課題】容易に着用することができるとともに装着感が良く、特に、プロネーションが原因とされるテニス肘になることを効果的に予防することが可能なアームサポータを提供する。【解決手段】本発明に係るアームサポータ１は、前腕部の体表面に密着して着用する伸縮性を有する本体部２と、本体部２より伸縮性の少ない帯状部３と、を備え、帯状部３の体表面密着側が滑り止め機能を有することを特徴とする。【選択図】図３
2014125705.tif 000002
【特許請求の範囲】
【請求項１】
前腕部の体表面に密着して着用する伸縮性を有する本体部と、本体部より伸縮性の少ない帯状部と、を備え、前記帯状部の体表面密着側が滑り止め機能を有することを特徴とするアームサポータ。
【請求項２】
前記本体部の両側に伸縮力が大きい保持部を配設したことを特徴とする請求項１に記載のアームサポータ。
【請求項３】
前記本体部及び帯状部は、手首側の伸縮力が肩側の伸縮力よりも小さく形成されていることを特徴とする請求項１または２に記載のアームサポータ。
【請求項４】
前記帯状部は、前腕部に沿った方向の伸縮力が、それと直交する方向の伸縮力よりも大きくなるように形成されていることを特徴とする請求項１から３のいずれか１項に記載のアームサポータ。
【発明の詳細な説明】
【技術分野】
【０００１】
本発明は、主にテニスをする際に着用されるアームサポータに関する。
【背景技術】
【０００２】
テニス等のスポーツをする場合、怪我の予防、再発などを防止するために、障害が生じやすい部位を補強してその動きを制限するテーピングが行われている。特に、テニスは、サーブをする際に、プロネーション動作（手首を使ってラケット面が外側を向くような回動運動）が行われることから、肘から手首にかけて回動方向に沿うようなテーピングが施される。
【０００３】
ところで、前腕部にテーピングをするには、所定の筋肉（長手方向に延びる屈筋群や伸筋群の筋腹部分）に沿ってテープを取着するため、ある程度の熟練が必要とされるとともに、プレーヤ自らが取着することが困難なことから、前腕部に着用されるアームサポータが知られている（例えば、特許文献１）。
【０００４】
この特許文献１に開示されているアームサポータは、簡単で適正に着用できるとともに血行障害が生じ難く、スムーズな動きやひねりに追従し、筋肉疲労を軽減、予防するように、前腕部の長手方向に伸びる筋腹部分に伸縮力の弱い伸縮性素材を配設し、筋腹の長手方向両脇部近傍に、比較的伸縮力の強い伸縮性素材を配設した構成となっている。
【先行技術文献】
【特許文献】
【０００５】
【特許文献１】特開平７−８０１１７号
【発明の概要】
【発明が解決しようとする課題】
【０００６】
一般的に、テニスでは、テニス肘と呼ばれる障害が知られており、このようなテニス肘は、特に前腕部の伸筋部に繰り返しの収縮を強いること、具体的には、手首を手の甲側に返すときの前腕伸筋群に対する負荷（プロネーションのときに作用する衝撃）が原因とされている。このため、上記した特許文献１に開示されているアームサポータを着用しても、筋肉の伸縮を制限して動作を制限するのみであり、矯正力を付与するものではない（一般的に行われるテーピングのように、ひねった状態を固定する等の矯正力を付与するものではない）ため、怪我の予防、再発などを防止する機能を十分に発揮するものとなっていない。
【０００７】
本発明は、上記した問題に着目してなされたものであり、容易に着用することができるとともに装着感が良く、特に、プロネーションが原因とされるテニス肘になることを効果的に予防することが可能なアームサポータを提供することを目的とする。
【課題を解決するための手段】
【０００８】
上記した目的を達成するために、本発明に係るアームサポータは、前腕部の体表面に密着して着用する伸縮性を有する本体部と、本体部より伸縮性の少ない帯状部と、を備え、前記帯状部の体表面密着側が滑り止め機能を有することを特徴とする。
【０００９】
上記した構成のアームサポータによれば、前腕部に着用した際、本体部が伸縮性を有して前腕部の体表面に密着することから、容易に着用することができると共に、フィット感（装着感）が良くなって動作性が低下するようなことはない。また、本体部よりも伸縮性が少ない帯用部材は、体表面密着側が滑り止め機能を有することから、プロネーション動作をしたときに前腕伸筋群に大きな回動力が作用しても、その動きを固定する（矯正する力）機能を発揮することができ、テーピングした場合と同様、テニス肘などの障害になることを効果的に抑制することが可能となる。
【発明の効果】
【００１０】
本発明によれば、容易に着用することができるとともに装着感が良く、特に、プロネーションが原因とされるテニス肘になることを効果的に予防することが可能なアームサポータが得られる。
【図面の簡単な説明】
【００１１】
【図１】本発明に係るアームサポータの一実施形態を示す図であり、（ａ）は表面側の平面図、（ｂ）は裏面側の平面図。
【図２】図１に示すアームサポータの構成部材を示す分解図。
【図３】アームサポータを前腕部に実際に着用した状態を示す図。
【図４】アームサポータの変形例を示す平面図。
【発明を実施するための形態】
【００１２】
以下、図面を参照しながら本発明に係るアームサポータについて説明する。  
図１から図３は、本発明に係るアームサポータの一実施形態を示す図であり、図１（ａ）は表面側の平面図、図１（ｂ）は裏面側の平面図、図２は、図１に示すアームサポータの構成部材を示す分解図、そして、図３は、アームサポータを前腕部に実際に着用した状態を示す図である。
【００１３】
本実施形態のアームサポータ１は、前腕部（手首から肘に亘る領域）の体表面に密着して着用されるように筒状に編成され、縦方向と横方向に伸縮性のある素材、例えば、ナイロンにポリウレタンを混編し、通気性を有するツーウェイ・トリコット地によって構成された本体部２を有している。本体部２は、手首側の開口２ａよりも肩側の開口２ｂが広くなるように縫製されており、延出方向に沿う両端には、本体部２よりも伸縮性が少ない素材、例えば、ポリエステルにポリウレタンを混編し、通気性を有するパワーネット地によって構成された帯状部３が一体的に縫着されている。
【００１４】
前記帯状部３は、本体部２に沿って延び、アームサポータ１を前腕部に着用した際、前腕の伸筋部をカバーできる程度の幅があれば良く、その幅Ｗは、２ｃｍ〜４ｃｍ程度あれば良い。
【００１５】
また、前記帯状部３は、着用した際に、体表面密着側が滑り止め機能を有するように形成されている。具体的に、本実施形態の帯状部３は、編成するに際して、弾性を有するゴム状繊維、例えばポリウレタン繊維が主に体表面側に編み込まれており、これが表面摩擦力を高めて着用時に体表面側に密着して伸筋部を固定する機能を備えている。この場合、編み込まれるゴム状繊維は、前腕部に沿った方向（図２のＸ方向）の弾性力が、それと直交する方向（図２のＹ方向）の弾性力よりも大きくなるように構成されていることが好ましい。すなわち、Ｘ方向の伸縮力が大きくなることで、その方向には伸び難くなり、かつ腕部を捩じる（回動する）Ｙ方向の伸縮力が小さくなることで、その捩じる動きに追従してずれが生じ難くなり、これにより、固定（矯正）効果が高まるとともに、着用時には、帯状部３を捩じりながら伸筋部をカバーするように装着操作がし易くなる。
【００１６】
また、本体部２及び帯状部３は、手首側の伸縮力が肩側の伸縮力よりも小さく形成されていることが好ましい。  
このように手首側の伸縮力を小さくすることで、着用時に手首側が捩じり易くなり、帯状部３を伸筋部に沿うようにして装着することが容易に行えるようになる。
【００１７】
さらに、前記本体部２の両側の開口２ａ，２ｂに伸縮力が大きい保持部５ａ，５ｂを配設しておくことが好ましい。  
このような保持部５ａ，５ｂを配設しておくことで、着用時に、帯状部材３の位置を保持し易くなり、伸筋部に対する固定効果をより高めることが可能になる。なお、両保持部５ａ，５ｂについては、手首側が捩じり易いように、肩側の保持部５ｂの伸縮力を大きくしておくことが好ましい。
【００１８】
上記したように構成されるアームサポータ１は、図３に示すように、前腕部に着用される。この場合、本体部２及び帯状部３は、伸縮性を有する素材で構成されることから、着用が容易に行えると共に装着感が良く、通気性が良いことから蒸れるようなこともない。また、着用時には、肩側の伸縮力が強く、保持部５ｂ領域における保持力が大きいことから、保持部５ｂ側を固定して、保持部５ａ側を捩じりながら帯状部３を伸筋部に沿うように装着することが容易に行えるようになり、かつ、保持部５ａ，５ｂにより、その状態を固定することが可能となる。
【００１９】
また、帯状部３は、体表面密着側が滑り止め機能を有していることから、伸筋部に密着して固定した状態を維持することができ、テーピングと同様、矯正効果を発揮することが可能となる。すなわち、実際に、伸筋部に沿うようにテーピングを施さなくても、帯状部３を捩じりながらアームサポータを着用する、という容易な操作だけでテーピングと同様な効果を発揮することが可能になる。
【００２０】
以上、本発明の実施形態について説明したが、本発明は、上記した実施形態に限定されることはなく、種々変形することが可能である。  
上記した本体部２及び帯状部３は、伸縮性のある素材で構成されていれば、繊維素材や編成方法等については、特に限定されることはない。また、帯状部３は、本体部２より伸縮性が少なく、かつ、体表面密着側が滑り止め機能を有するものであれば良く、例えば、ゴムのような弾性材を体表面側に被着したり、帯状部３そのものを弾性材で構成したものであっても良い。
【００２１】
また、帯状部３については、例えば図４に示すように、手首側に移行するに連れて、次第に幅狭となるように構成しても良い。このように構成することで、手首側の伸縮力を肩側の伸縮力よりも小さくし易くなると共に、手首側が細くなる伸筋部を効果的にカバーすることが可能となる。さらに、本発明に係るアームサポータは、テニス以外にも、バトミントン、野球等、他のスポーツにも適用することが可能である。
【符号の説明】
【００２２】
１  アームサポータ
２  本体部
３  帯状部
５ａ，５ｂ  保持部
【図１】
2014125705.tif 000003
【図２】
2014125705.tif 000004
【図３】
2014125705.tif 000005
【図４】
2014125705.tif 000006